(57)【要約】【課題】ハウリングが発生しにくい骨伝導通信機を提供する。【解決手段】骨伝導通信機は、骨の振動を電気信号に変換して出力する送信部と、受信した電気信号に基づいて振動を出力する受信部と、前記送信部および前記受信部の一方の出力機能が有効であり、前記送信部および前記受信部の他方の出力機能が無効である第１の状態と、前記送信部および前記受信部の一方の出力機能が無効であり、前記送信部および前記受信部の他方の出力機能が有効である第２の状態とを切り替える制御部とを備える。【選択図】図２
2017092906.tif 000002
【特許請求の範囲】
【請求項１】
骨の振動を電気信号に変換して出力する送信部と、
受信した電気信号に基づいて振動を出力する受信部と、
前記送信部および前記受信部の一方の出力機能が有効であり、前記送信部および前記受信部の他方の出力機能が無効である第１の状態と、前記送信部および前記受信部の一方の出力機能が無効であり、前記送信部および前記受信部の他方の出力機能が有効である第２の状態とを切り替える制御部と、を備える、骨伝導通信機。
【請求項２】
骨の振動を検出する振動検出部をさらに備え、
前記制御部は、前記振動検出部の検出結果に基づいて、前記第１の状態と前記第２の状態とを切り替える、請求項１に記載の骨伝導通信機。
【請求項３】
前記制御部は、前記受信部の出力機能が有効であり、前記送信部の出力機能が無効である前記第１の状態において、前記振動検出部により振動が検出されたことに基づいて、前記送信部および前記受信部の状態を前記第１の状態から前記第２の状態に切り替える、請求項２に記載の骨伝導通信機。
【請求項４】
前記制御部は、前記送信部の出力機能が有効であり、前記受信部の出力機能が無効である前記第２の状態において、前記振動検出部により振動が検出されず、かつ、前記受信部に電気信号が入力されたことに基づいて、前記送信部および前記受信部の状態を前記第２の状態から前記第１の状態に切り替える、請求項２または３に記載の骨伝導通信機。
【請求項５】
前記受信部により受信された電気信号を記憶する記憶部をさらに備え、
前記制御部は、
前記送信部の出力機能が有効であり、前記受信部の出力機能が無効である第２の状態において、前記受信部が受信した電気信号を前記記憶部に記憶させ、
前記送信部および前記受信部の状態を前記第２の状態から、前記受信部の出力機能が有効であり、前記送信部の出力機能が無効である第１の状態に切り替えた後、前記記憶部に記憶された電気信号に基づいて前記受信部に振動を出力させる、請求項１〜４のいずれか一項に記載の骨伝導通信機。
【請求項６】
骨の振動を電気信号に変換して出力する送信部と、
受信した電気信号に基づいて振動を出力する受信部と、
前記送信部および前記受信部の両方の出力機能が有効である第３の状態において、前記送信部および前記受信部における共振の発生が抑制されるように、前記送信部の制御、前記受信部の制御、前記送信部から出力される電気信号のフィルタ処理、および、前記受信部が受信した電気信号のフィルタ処理の少なくとも１つを含む共振抑制処理を実行する制御部と、を備える、骨伝導通信機。
【請求項７】
前記制御部は、前記共振抑制処理において、前記受信部から出力される振動の大きさを制限する、請求項６に記載の骨伝導通信機。
【請求項８】
前記制御部は、前記共振抑制処理において、所定の振幅以上の振幅を有する周波数成分が含まれないように前記受信部から出力される振動を制限する、請求項６または７に記載の骨伝導通信機。
【請求項９】
前記受信部により受信された電気信号を記憶する記憶部をさらに備え、
前記制御部は、前記共振抑制処理において、前記送信部が電気信号を出力している最中に前記受信部が受信した電気信号を前記記憶部に記憶させ、前記送信部による振動の出力の終了後において、前記記憶部に記憶された電気信号に基づいて前記受信部に振動を出力させる、請求項６〜８のいずれか一項に記載の骨伝導通信機。
【請求項１０】
前記制御部は、前記送信部および前記受信部の一方の出力機能が有効であり、前記送信部および前記受信部の他方の出力機能が無効である第１の状態と前記第３の状態とを切り替え可能である、請求項６〜９のいずれか一項に記載の骨伝導通信機。
【請求項１１】
骨の振動を検出する振動検出部をさらに備え、
前記制御部は、前記振動検出部の検出結果に基づいて、前記第１の状態と前記第３の状態とを切り替える、請求項１０に記載の骨伝導通信機。
【請求項１２】
前記制御部は、前記受信部の出力機能が有効であり、前記送信部の出力機能が無効である前記第１の状態において、前記振動検出部により振動が検出されたことに基づいて、前記送信部および前記受信部の状態を前記第１の状態から前記第３の状態に切り替える、請求項１１に記載の骨伝導通信機。
【請求項１３】
前記制御部は、前記送信部の出力機能が有効であり、前記受信部の出力機能が無効である前記第１の状態において、前記振動検出部により振動が検出されず、かつ、前記受信部に電気信号が入力されたことに基づいて、前記送信部および前記受信部の状態を前記第１の状態から前記第３の状態に切り替える、請求項１１に記載の骨伝導通信機。
【請求項１４】
前記送信部および前記受信部の少なくとも一方を、使用者の身体、使用者の衣服、使用者の装身具、または、自転車に取り付けるための取付部をさらに備える、請求項１〜１３のいずれか一項に記載の骨伝導通信機。
【請求項１５】
操作部をさらに備え、
前記制御部は、前記操作部の操作に基づいて、前記送信部および前記受信部を制御する、請求項１〜１４のいずれか一項に記載の骨伝導通信機。
【請求項１６】
前記送信部および前記受信部を含む本体をさらに備え、
前記操作部は、前記本体と個別に構成される、請求項１５に記載の骨伝導通信機。
【請求項１７】
前記操作部は、使用者の身体、使用者の衣服、使用者の装身具、または、自転車に取り付けるための取付部を含む、請求項１５または１６に記載の骨伝導通信機。
【請求項１８】
前記制御部は、自転車の走行状態、自転車の走行環境、および、使用者の状態の少なくとも１つに基づいて、前記送信部および前記受信部の少なくとも一方を制御する、請求項１〜１７のいずれか一項に記載の骨伝導通信機。
【請求項１９】
前記自転車の走行状態は、前記自転車の車速、振動、および、人力駆動力の少なくとも１つを含む、請求項１８に記載の骨伝導通信機。
【請求項２０】
前記自転車の走行環境は、路面の勾配、路面の高度、風力、天候、および、騒音レベルの少なくとも１つを含む、請求項１８または１９に記載の骨伝導通信機。
【請求項２１】
前記使用者の状態は、心拍および消費カロリーの少なくとも一方を含む、請求項１８〜２０のいずれか一項に記載の骨伝導通信機。
【請求項２２】
前記制御部は、外部装置と通信可能である、請求項１〜２１のいずれか一項に記載の骨伝導通信機。
【請求項２３】
前記制御部は、前記外部装置から受信した信号に基づいて、前記送信部および前記受信部の少なくとも一方の状態を設定する、請求項２２に記載の骨伝導通信機。
【請求項２４】
前記制御部は、前記外部装置から受信した信号に基づいて、前記送信部および前記受信部の少なくとも一方の出力レベルを設定する、請求項２２または２３に記載の骨伝導通信機。
【請求項２５】
前記外部装置は、自転車に取り付けるための取付部を含む、請求項２２〜２４のいずれか一項に記載の骨伝導通信機。
【発明の詳細な説明】
【技術分野】
【０００１】
本発明は、骨伝導を利用した骨伝導通信機に関する。
【背景技術】
【０００２】
骨伝導を利用して双方向に通信可能な骨伝導通信機が知られている。その一例である特許文献１の骨伝導通信機は、骨導音として聴覚器官に伝達される音を出力する骨導スピーカ、および、骨導音として集音した声帯の振動を電気信号に変換して出力する骨導マイクロホンを含む。骨導スピーカから出力される音および骨導マイクロホンにより集音される音は、外部の騒音の影響を受けにくい。このため、上記骨伝導通信機を用いた通信によれば、明瞭な音声が得られる。
【先行技術文献】
【特許文献】
【０００３】
【特許文献１】特開平１１−２１５５８１号公報
【発明の概要】
【発明が解決しようとする課題】
【０００４】
上記骨伝導通信機を用いた通信中にハウリングが発生し、使用者が不快感を覚えるおそれがある。しかし、特許文献１は通信中に発生するハウリングについて特に考慮していない。このため、快適な通信を可能にする側面において改善の余地が存在する。
【０００５】
本発明の目的は、ハウリングが発生しにくい骨伝導通信機を提供することである。
【課題を解決するための手段】
【０００６】
〔１〕本発明に従う骨伝導通信機の一形態は、骨の振動を電気信号に変換して出力する送信部と、受信した電気信号に基づいて振動を出力する受信部と、前記送信部および前記受信部の一方の出力機能が有効であり、前記送信部および前記受信部の他方の出力機能が無効である第１の状態と、前記送信部および前記受信部の一方の出力機能が無効であり、前記送信部および前記受信部の他方の出力機能が有効である第２の状態とを切り替える制御部とを備える。
【０００７】
〔２〕前記骨伝導通信機の一例によれば、骨の振動を検出する振動検出部をさらに備え、前記制御部は、前記振動検出部の検出結果に基づいて、前記第１の状態と前記第２の状態とを切り替える。
【０００８】
〔３〕前記骨伝導通信機の一例によれば、前記制御部は、前記受信部の出力機能が有効であり、前記送信部の出力機能が無効である前記第１の状態において、前記振動検出部により振動が検出されたことに基づいて、前記送信部および前記受信部の状態を前記第１の状態から前記第２の状態に切り替える。
【０００９】
〔４〕前記骨伝導通信機の一例によれば、前記制御部は、前記送信部の出力機能が有効であり、前記受信部の出力機能が無効である前記第２の状態において、前記振動検出部により振動が検出されず、かつ、前記受信部に電気信号が入力されたことに基づいて、前記送信部および前記受信部の状態を前記第２の状態から前記第１の状態に切り替える。
【００１０】
〔５〕前記骨伝導通信機の一例によれば、前記受信部により受信された電気信号を記憶する記憶部をさらに備え、前記制御部は、前記送信部の出力機能が有効であり、前記受信部の出力機能が無効である第２の状態において、前記受信部が受信した電気信号を前記記憶部に記憶させ、前記送信部および前記受信部の状態を前記第２の状態から、前記受信部の出力機能が有効であり、前記送信部の出力機能が無効である第１の状態に切り替えた後、前記記憶部に記憶された電気信号に基づいて前記受信部に振動を出力させる。
【００１１】
〔６〕本発明に従う骨伝導通信機の一形態は、骨の振動を電気信号に変換して出力する送信部と、受信した電気信号に基づいて振動を出力する受信部と、前記送信部および前記受信部の両方の出力機能が有効である第３の状態において、前記送信部および前記受信部における共振の発生が抑制されるように、前記送信部の制御、前記受信部の制御、前記送信部から出力される電気信号のフィルタ処理、および、前記受信部が受信した電気信号のフィルタ処理の少なくとも１つを含む共振抑制処理を実行する制御部とを備える。
【００１２】
〔７〕前記骨伝導通信機の一例によれば、前記制御部は、前記共振抑制処理において、前記受信部から出力される振動の大きさを制限する。
〔８〕前記骨伝導通信機の一例によれば、前記制御部は、前記共振抑制処理において、所定の振幅以上の振幅を有する周波数成分が含まれないように前記受信部から出力される振動を制限する。
【００１３】
〔９〕前記骨伝導通信機の一例によれば、前記受信部により受信された電気信号を記憶する記憶部をさらに備え、前記制御部は、前記共振抑制処理において、前記送信部が電気信号を出力している最中に前記受信部が受信した電気信号を前記記憶部に記憶させ、前記送信部による振動の出力の終了後において、前記記憶部に記憶された電気信号に基づいて前記受信部に振動を出力させる。
【００１４】
〔１０〕前記骨伝導通信機の一例によれば、前記制御部は、前記送信部および前記受信部の一方の出力機能が有効であり、前記送信部および前記受信部の他方の出力機能が無効である第１の状態と前記第３の状態とを切り替え可能である。
【００１５】
〔１１〕前記骨伝導通信機の一例によれば、骨の振動を検出する振動検出部をさらに備え、前記制御部は、前記振動検出部の検出結果に基づいて、前記第１の状態と前記第３の状態とを切り替える。
【００１６】
〔１２〕前記骨伝導通信機の一例によれば、前記制御部は、前記受信部の出力機能が有効であり、前記送信部の出力機能が無効である前記第１の状態において、前記振動検出部により振動が検出されたことに基づいて、前記送信部および前記受信部の状態を前記第１の状態から前記第３の状態に切り替える。
【００１７】
〔１３〕前記骨伝導通信機の一例によれば、前記制御部は、前記送信部の出力機能が有効であり、前記受信部の出力機能が無効である前記第１の状態において、前記振動検出部により振動が検出されず、かつ、前記受信部に電気信号が入力されたことに基づいて、前記送信部および前記受信部の状態を前記第１の状態から前記第３の状態に切り替える。
【００１８】
〔１４〕前記骨伝導通信機の一例によれば、前記送信部および前記受信部の少なくとも一方を、使用者の身体、使用者の衣服、使用者の装身具、または、自転車に取り付けるための取付部をさらに備える。
【００１９】
〔１５〕前記骨伝導通信機の一例によれば、操作部をさらに備え、前記制御部は、前記操作部の操作に基づいて、前記送信部および前記受信部を制御する。
〔１６〕前記骨伝導通信機の一例によれば、前記送信部および前記受信部を含む本体をさらに備え、前記操作部は、前記本体と個別に構成される。
【００２０】
〔１７〕前記骨伝導通信機の一例によれば、前記操作部は、使用者の身体、使用者の衣服、使用者の装身具、または、自転車に取り付けるための取付部を含む。
〔１８〕前記骨伝導通信機の一例によれば、前記制御部は、自転車の走行状態、自転車の走行環境、および、使用者の状態の少なくとも１つに基づいて、前記送信部および前記受信部の少なくとも一方を制御する。
【００２１】
〔１９〕前記骨伝導通信機の一例によれば、前記自転車の走行状態は、前記自転車の車速、振動、および、人力駆動力の少なくとも１つを含む。
〔２０〕前記骨伝導通信機の一例によれば、前記自転車の走行環境は、路面の勾配、路面の高度、風力、天候、および、騒音レベルの少なくとも１つを含む。
【００２２】
〔２１〕前記骨伝導通信機の一例によれば、前記使用者の状態は、心拍および消費カロリーの少なくとも一方を含む。
〔２２〕前記骨伝導通信機の一例によれば、前記制御部は外部装置と通信可能である。
【００２３】
〔２３〕前記骨伝導通信機の一例によれば、前記制御部は、前記外部装置から受信した信号に基づいて、前記送信部および前記受信部の少なくとも一方の状態を設定する。
〔２４〕前記骨伝導通信機の一例によれば、前記制御部は、前記外部装置から受信した信号に基づいて前記送信部および前記受信部の少なくとも一方の出力レベルを設定する。
【００２４】
〔２５〕前記骨伝導通信機の一例によれば、前記外部装置は、自転車に取り付けるための取付部を含む。
【発明の効果】
【００２５】
上記骨伝導通信機によれば、ハウリングが発生しにくい。
【図面の簡単な説明】
【００２６】
【図１】第１の実施形態の骨伝導通信機の使用状態の一例を示す側面図。
【図２】図１の骨伝導通信機のブロック図。
【図３】第２の実施形態の骨伝導通信機のブロック図。
【図４】第３の実施形態の骨伝導通信機のブロック図。
【図５】第４の実施形態の骨伝導通信機のブロック図。
【図６】変形例の骨伝導通信機のブロック図。
【図７】変形例の骨伝導通信機のブロック図。
【発明を実施するための形態】
【００２７】
（第１の実施形態）
図１は、使用者Ｈの顔の側部に装着可能な骨伝導通信機１０の使用状態の一例を示す。骨伝導通信機１０の形態の一例は、ヘッドセットである。
【００２８】
骨伝導通信機１０は、送信部１２、受信部１４、および、制御部１６を備える。一例では、骨伝導通信機１０は、本体１８、電源部２０（図２参照）、および、操作部２２（図２参照）をさらに備える。送信部１２、受信部１４、および、制御部１６は、本体１８に含まれる。電源部２０は、充電可能なバッテリを含む。電源部２０は、送信部１２、受信部１４、および、制御部１６と電気的に接続される。操作部２２は、使用者Ｈの衣服等に装着可能なコントローラーである。本体１８および操作部２２は、個別に構成される。なお、骨伝導通信機１０は、本体１８を含まない形態を取り得る。その形態においても骨伝導通信機１０は、送信部１２、受信部１４、および、制御部１６を備える。
【００２９】
送信部１２の機能は、骨の振動を電気信号に変換して出力することである。受信部１４の機能は、受信した電気信号に基づいて振動を出力することである。送信部１２および受信部１４は、制御部１６と電気的に接続される。
【００３０】
本体１８は、連結部２４および取付部２６をさらに含む。取付部２６の形態の一例は、耳に引っ掛けることが可能なフックである。取付部２６は、例えば受信部１４から伸びている。取付部２６が耳に引っ掛けられることにより、送信部１２および受信部１４が使用者Ｈの身体に取り付けられる。送信部１２は、例えば頬に取り付けられる。受信部１４は、例えば耳の穴に挿入される。連結部２４の形態の一例は、送信部１２と受信部１４とを連結するフレームである。
【００３１】
制御部１６は、本体１８の内部に設けられる。本体１８の内部の一例は、取付部２６の内部である。制御部１６の機能は、骨伝導通信機１０を構成する各種の要素を制御することである。制御部１６は、操作部２２の操作に基づいて、送信部１２および受信部１４を制御する。
【００３２】
操作部２２は、無線通信部（図示略）および取付部２８（図２参照）を含む。無線通信部は、本体１８と無線通信する。取付部２８の形態の一例は、使用者Ｈの衣服（図示略）に取り付け可能なフックである。操作部２２は、複数の機能を含む。一例では、複数の機能は、第１の機能および第２の機能を含む。第１の機能は、使用者Ｈに伝達される音の音圧および音量等を調節する機能である。第２の機能は、送信部１２および受信部１４の状態を切り替える機能である。なお、操作部２２は取付部２８を含まない形態を取り得る。
【００３３】
図２は、骨伝導通信機１０を構成する主要な要素のブロック図である。
骨伝導通信機１０は、振動検出部３０をさらに備える。一例では、振動検出部３０は、送信部１２に含まれる。なお、骨伝導通信機１０は、送信部１２に振動検出部３０が含まれない形態を取り得る。
【００３４】
送信部１２は、振動検出部３０、第１の増幅器３２、および、送信器３４を含む。振動検出部３０は、発声されることにともなう骨の振動を検出し、検出した振動を電気信号に変換して出力可能な振動センサを含む。振動検出部３０は、検出結果が反映された電気信号を第１の増幅器３２および制御部１６に出力する。第１の増幅器３２の機能は、振動検出部３０から受信した電気信号を増幅することである。送信器３４の機能は、第１の増幅器３２により増幅された電気信号を外部の通信機（図示略）に出力することである。外部の通信機は、骨伝導通信機１０とは別の通信機であり、骨の振動または空気の振動を利用して通信可能である。
【００３５】
受信部１４は、受信器３６、第２の増幅器３８、および、振動子４０を含む。受信器３６の機能は、外部の通信機から出力された電気信号を受信することである。受信器３６は、受信した電気信号を第２の増幅器３８および制御部１６に出力する。第２の増幅器３８の機能は、受信器３６から受信した電気信号を増幅することである。振動子４０の機能は、第２の増幅器３８により増幅された電気信号に基づいて振動することである。
【００３６】
制御部１６は、スイッチ制御部４２、増幅器制御部４４、第１のスイッチ４６、および、第２のスイッチ４８を含む。スイッチ制御部４２の機能は、送信部１２および受信部１４の状態が切り替えられるように各スイッチ４６、４８を制御することである。増幅器制御部４４の機能は、第１の増幅器３２のゲイン、および、第２の増幅器３８のゲインを調節することである。第１のスイッチ４６の機能は、第１の増幅器３２と送信器３４との接続状態を切り替えることである。第２のスイッチ４８の機能は、第２の増幅器３８と振動子４０との接続状態を切り替えることである。
【００３７】
増幅器制御部４４は、第１の増幅器３２に出力される電流および電圧の少なくとも一方を調節することにより、第１の増幅器３２のゲインを調節し、第２の増幅器３８に出力される電流および電圧の少なくとも一方を調節することにより、第２の増幅器３８のゲインを調節する。振動子４０の振動の大きさは、第２の増幅器３８に出力される電流および電圧の少なくとも一方に応じて調節される。使用者Ｈに伝達される音の音圧および音量等は、振動子４０の振動の大きさに応じて調節される。
【００３８】
送信部１２および受信部１４の状態は、第１の状態および第２の状態を含む。第１の状態は、送信部１２および受信部１４の一方の出力機能が有効であり、送信部１２および受信部１４の他方の出力機能が無効な状態である。第２の状態は、送信部１２および受信部１４の一方の出力機能が無効であり、送信部１２および受信部１４の他方の出力機能が有効な状態である。一例では、第１の状態は、受信部１４の出力機能が有効であり、送信部１２の出力機能が無効な状態である。第２の状態は、受信部１４の出力機能が無効であり、送信部１２の出力機能が有効な状態である。なお、図２に示される送信部１２および受信部１４の状態は第１の状態である。
【００３９】
スイッチ制御部４２は、振動検出部３０の検出結果または操作部２２の操作に基づいて、第１の状態と第２の状態とを切り替える。一例では、スイッチ制御部４２は、第１の状態において振動検出部３０により振動が検出されたことに基づいて、送信部１２および受信部１４の状態が第１の状態から第２の状態に切り替えられるように各スイッチ４６、４８を制御する。スイッチ制御部４２は、第２の状態において振動検出部３０により振動が検出されず、かつ、受信器３６に電気信号が入力されたことに基づいて、送信部１２および受信部１４の状態が第２の状態から第１の状態に切り替えられるように各スイッチ４６、４８を制御する。
【００４０】
送信部１２の出力機能は、第１の増幅器３２と送信器３４とが接続されている場合に有効であり、第１の増幅器３２と送信器３４とが接続されていない場合に無効である。第１のスイッチ４６の状態がオンのとき、第１の増幅器３２と送信器３４とが第１のスイッチ４６を介して接続され、送信部１２の出力機能が有効な状態が形成される。第１のスイッチ４６の状態がオフのとき、第１の増幅器３２と送信器３４とが接続されず、送信部１２の出力機能が無効な状態が形成される。送信部１２の出力機能が有効である場合、振動検出部３０により検出された振動に関する電気信号が送信器３４に出力され、その電気信号が送信器３４から外部の通信機に出力される。送信部１２の出力機能が無効である場合、振動検出部３０により検出された振動に関する電気信号が送信器３４に出力されない。
【００４１】
受信部１４の出力機能は、第２の増幅器３８と振動子４０とが接続されている場合に有効であり、第２の増幅器３８と振動子４０とが接続されていない場合に無効である。第２のスイッチ４８の状態がオンのとき、第２の増幅器３８と振動子４０とが第２のスイッチ４８を介して接続され、受信部１４の出力機能が有効な状態が形成される。第２のスイッチ４８の状態がオフのとき、第２の増幅器３８と振動子４０とが接続されず、受信部１４の出力機能が無効な状態が形成される。受信部１４の出力機能が有効である場合、受信部１４が受信した電気信号が振動子４０に出力され、その電気信号に基づいて振動子４０が振動する。受信部１４の出力機能が無効である場合、受信部が受信した電気信号が振動子４０に出力されない。
【００４２】
図１に示される使用者Ｈと通信相手とが通信する場合、骨伝導通信機１０は次のように動作する。送信部１２、受信部１４、および、制御部１６等は、電源部２０の状態がオンに設定されることにより駆動する。
【００４３】
通信相手の通信機は、例えば通信相手の発声にともなう骨の振動を検出し、その検出結果が反映された電気信号を骨伝導通信機１０に出力する。送信部１２および受信部１４の状態が第１の状態に設定された場合において、受信器３６が通信相手の通信機から電気信号を受信したとき、受信器３６は、受信した電気信号を振動子４０に出力する。振動子４０は、受信器３６から受信した電気信号に基づいて振動する。振動子４０の振動が使用者Ｈの骨を介して聴覚器官に伝達され、通信相手の音声が使用者Ｈに伝達される。第１の状態において、受信器３６が通信相手の通信機から電気信号を受信せず、使用者Ｈの発声にともなう振動が振動検出部３０により検出されたとき、スイッチ制御部４２は、送信部１２および受信部１４の状態を第１の状態から第２の状態に切り替える。
【００４４】
送信部１２および受信部１４の状態が第２の状態に設定された場合において、振動検出部３０が使用者Ｈの発声にともなう骨の振動を検出したとき、振動検出部３０は、検出結果が反映された電気信号を送信器３４に出力する。送信器３４は、受信した電気信号を通信相手の通信機に出力する。通信相手の通信機は、受信した電気信号に基づいて振動を出力する。これにより、使用者Ｈの音声が通信相手に伝達される。第２の状態において、振動検出部３０により振動が検出されず、受信器３６が通信相手の通信機から出力された電気信号を受信したとき、スイッチ制御部４２は、送信部１２および受信部１４の状態を第２の状態から第１の状態に切り替える。
【００４５】
使用者Ｈの発声にともなう骨の振動、および、振動子４０から使用者Ｈの骨に伝達される振動は、外部の騒音の影響を受けにくい。このため、骨伝導通信機１０によれば、明瞭な音声による通信が可能である。
【００４６】
また、第１の状態において通信相手の通信機から電気信号を受信しているときに使用者Ｈが発声しても、その発声に応じた電気信号が送信器３４に出力されない。このため、送信部１２および受信部１４における共振の発生が抑制され、ハウリングが発生しにくい。
【００４７】
また、第２の状態において使用者Ｈが発声しているときに受信器３６が通信相手の通信機から電気信号を受信しても、その電気信号が振動子４０に出力されない。このため、送信部１２および受信部１４における共振の発生が抑制され、ハウリングが発生しにくい。
【００４８】
第１の実施形態によれば、さらに以下の効果が得られる。
（１）骨伝導通信機１０によれば、振動検出部３０により振動が検出されたことに基づいて、送信部１２および受信部１４の状態が第１の状態から第２の状態に切り替えられる。このため、使用者Ｈの音声が通信相手にスムーズに伝達される。
【００４９】
（２）骨伝導通信機１０によれば、振動検出部３０により振動が検出されず、かつ、受信器３６に電気信号が入力されたことに基づいて、送信部１２および受信部１４の状態が第２の状態から第１の状態に切り替えられる。このため、使用者Ｈが発声していない場合において、通信相手の発声が使用者Ｈにスムーズに伝達される。
【００５０】
（３）骨伝導通信機１０によれば、本体１８と操作部２２とが個別に構成される。この構成によれば、本体１８が軽量化されるため、顔への装着にともない使用者Ｈが違和感を覚えるおそれが低減される。
【００５１】
（第２の実施形態）
第２の実施形態の骨伝導通信機１０は、以下に説明する点において第１の実施形態の骨伝導通信機１０と相違し、その他の点において第１の実施形態の骨伝導通信機１０と実質的に同じ構成を備える。なお、第２の実施形態の骨伝導通信機１０の説明は、第１の実施形態の骨伝導通信機１０と共通する構成に同一の符号を付し、その構成の説明の一部または全部を省略する。
【００５２】
送信部１２および受信部１４の状態は、第３の状態を含む。第３の状態は、送信部１２および受信部１４の両方の出力機能が有効な状態である。スイッチ制御部４２は、例えば送信部１２および受信部１４の状態が第３の状態を維持するように各スイッチ４６、４８を制御する。なお、制御部１６は、スイッチ制御部４２、第１のスイッチ４６、および、第２のスイッチ４８の少なくとも１つを含まない形態を取り得る。
【００５３】
制御部１６は、第３の状態において送信部１２および受信部１４における共振の発生が抑制されるように共振抑制処理を実行する。共振抑制処理は、例えば送信部１２の制御、受信部１４の制御、送信部１２から出力される電気信号のフィルタ処理、および、受信部１４が受信した電気信号のフィルタ処理を含む。なお、制御部１６は、送信部１２の制御、受信部１４の制御、送信部１２から出力される電気信号のフィルタ処理、および、受信部１４が受信した電気信号のフィルタ処理のうちの１つ、２つ、または、３つを省略した共振抑制処理を実行する形態を取り得る。
【００５４】
図３は、骨伝導通信機１０を構成する主要な要素のブロック図である。
制御部１６は、第１のフィルタ５０および第２のフィルタ５２をさらに含む。第１のフィルタ５０の一例は、アクティブフィルタである。第１のフィルタ５０の機能は、共振抑制処理として、所定の振幅以上の振幅を有する周波数成分が含まれないように、送信部１２から出力される電気信号のフィルタ処理を実行することである。第１のフィルタ５０は、例えば第１の増幅器３２と第１のスイッチ４６との間に設けられる。このため、振動検出部３０の検出結果が反映された電気信号が第１の増幅器３２を介して第１のフィルタ５０に入力され、第１のフィルタ５０の通過にともなってフィルタ処理された電気信号が第１のスイッチ４６を介して送信器３４に出力される。
【００５５】
第２のフィルタ５２の一例は、アクティブフィルタである。第２のフィルタ５２の機能は、共振抑制処理として、所定の振幅以上の振幅を有する周波数成分が含まれないように、受信部１４から出力される電気信号のフィルタ処理を実行することである。第２のフィルタ５２は、例えば第２の増幅器３８と第２のスイッチ４８との間に設けられる。このため、受信器３６が受信した電気信号が第２の増幅器３８を介して第２のフィルタ５２に入力され、第２のフィルタ５２の通過にともなってフィルタ処理された電気信号が第２のスイッチ４８を介して振動子４０に出力される。このため、振動子４０による振動が制限される。
【００５６】
増幅器制御部４４は、共振抑制処理として、第１の増幅器３２のゲインが制限されるように送信部１２の制御を実行する。一例では、増幅器制御部４４は、振動検出部３０により振動が検出されたことに基づいて、第１の増幅器３２のゲインを制限する。このため、外部の通信機により通信相手に伝達される音圧が小さくなる。
【００５７】
増幅器制御部４４は、共振抑制処理として、第２の増幅器３８のゲインが制限されるように受信部１４の制御を実行する。一例では、増幅器制御部４４は、受信器３６に電気信号が入力されたことに基づいて、第２の増幅器３８のゲインを制限する。このため、受信部１４から出力される振動の大きさが制限される。
【００５８】
使用者Ｈ（図１参照）と通信相手とが通信する場合、図３に示される骨伝導通信機１０は次のように動作する。送信部１２、受信部１４、および、制御部１６等は、電源部２０の状態がオンに設定されることにより駆動する。
【００５９】
通信相手の通信機は、例えば通信相手の発声にともなう骨の振動を検出し、その検出結果が反映された電気信号を骨伝導通信機１０に出力する。受信器３６が通信相手の通信機から電気信号を受信したとき、増幅器制御部４４は、第２の増幅器３８のゲインを制限する。受信器３６が受信した電気信号は、第２の増幅器３８および第２のフィルタ５２を通過して振動子４０に出力される。振動子４０は、受信器３６から入力された電気信号に基づいて振動する。振動子４０の振動が使用者Ｈの骨を介して聴覚器官に伝達され、通信相手の音声が使用者Ｈに伝達される。
【００６０】
振動検出部３０が使用者Ｈの発声にともなう骨の振動を検出したとき、増幅器制御部４４は、第１の増幅器３２のゲインを制限する。振動検出部３０の検出結果が反映された電気信号は、第１の増幅器３２および第１のフィルタ５０を通過して送信器３４に出力される。送信器３４は、振動検出部３０から入力された電気信号を通信相手の通信機に出力する。通信相手の通信機は、受信した電気信号に基づいて振動を出力する。これにより、使用者Ｈの音声が通信相手に伝達される。
【００６１】
骨伝導通信機１０は、通信相手の通信機と双方向の通信が可能であるため、使い勝手がよい。また、第３の状態において送信部１２および受信部１４における共振の発生が抑制されるように共振抑制処理が実行されるため、使用者Ｈと通信相手とが同時に発声したとしても、ハウリングが発生しにくい。
【００６２】
第２の実施形態によれば、さらに以下の効果が得られる。
（４）増幅器制御部４４は、振動検出部３０が振動を検出している場合、第１の増幅器３２のゲインを小さくする。この構成によれば、外部の通信機により通信相手に伝達される音圧が小さくなるため、使用者Ｈと通信相手とが同時に発声したとしても、使用者Ｈの発声による振動と通信相手の発声による振動とが共振しにくく、ハウリングが発生しにくい。
【００６３】
（５）増幅器制御部４４は、受信器３６が外部の通信機から電気信号を受信している場合、第２の増幅器３８のゲインを小さくする。この構成によれば、振動子４０による振動の大きさが制限されるため、使用者Ｈと通信相手とが同時に発声したとしても、使用者Ｈの発声による振動と通信相手の発声による振動とが共振しにくく、ハウリングが発生しにくい。
【００６４】
（６）送信器３４は、第１のフィルタ５０を通過した電気信号を通信相手の通信機に出力する。この構成によれば、通信相手の通信機に入力される電気信号に所定の振幅以上の振幅を有する周波数成分が含まれないため、使用者Ｈと通信相手とが同時に発声したとしても、使用者Ｈの発声による振動と通信相手の発声による振動とが共振しにくく、ハウリングが発生しにくい。
【００６５】
（７）振動子４０は、第２のフィルタ５２を通過した電気信号に基づいて振動する。この構成によれば、振動子４０による振動が制限されるため、使用者Ｈと通信相手とが同時に発声したとしても、使用者Ｈの発声による振動と通信相手の発声による振動とが共振しにくく、ハウリングが発生しにくい。なお、第２の実施形態によれば、第１の実施形態により得られる（３）の効果と同様の効果も得られる。
【００６６】
（第３の実施形態）
第３の実施形態の骨伝導通信機１０は、以下に説明する点において第２の実施形態の骨伝導通信機１０と相違し、その他の点において第２の実施形態の骨伝導通信機１０と実質的に同じ構成を備える。なお、第３の実施形態の骨伝導通信機１０の説明は、第２の実施形態の骨伝導通信機１０と共通する構成に同一の符号を付し、その構成の説明の一部または全部を省略する。
【００６７】
図４は、骨伝導通信機１０を構成する主要な要素のブロック図である。
送信部１２および受信部１４の状態は、第１の状態および第３の状態を含む。第１の状態は、送信部１２および受信部１４の一方の出力機能が有効であり、送信部１２および受信部１４の他方の出力機能が無効な状態である。一例では、第１の状態は、受信部１４の出力機能が有効であり、送信部１２の出力機能が無効な状態である。なお、図４に示される送信部１２および受信部１４の状態は第１の状態である。
【００６８】
スイッチ制御部４２は、振動検出部３０の検出結果または操作部２２の操作に基づいて、第１の状態と第３の状態とを切り替える。一例では、スイッチ制御部４２は、第１の状態において振動検出部３０により振動が検出されたことに基づいて、送信部１２および受信部１４の状態が第１の状態から第３の状態に切り替えられるように各スイッチ４６、４８を制御する。スイッチ制御部４２は、操作部２２の操作に基づいて、または、送信部１２および受信部１４の状態が第３の状態に切り替えられてから所定の時間が経過したことに基づいて、送信部１２および受信部１４の状態が第３の状態から第１の状態に切り替えられるように各スイッチ４６、４８を制御する。
【００６９】
使用者Ｈと通信相手とが通信する場合、図４に示される骨伝導通信機１０は次のように動作する。送信部１２、受信部１４、および、制御部１６等は、電源部２０の状態がオンに設定されることにより駆動する。
【００７０】
通信相手の通信機は、通信相手の発声にともなう骨の振動を検出し、その検出結果が反映された電気信号を骨伝導通信機１０に出力する。送信部１２および受信部１４の状態が第１の状態に設定された場合において、受信器３６が通信相手の通信機から電気信号を受信したとき、受信器３６は、受信した電気信号を振動子４０に出力する。振動子４０は、受信器３６から受信した信号に基づいて振動する。振動子４０の振動が使用者Ｈの骨を介して聴覚器官に伝達され、通信相手の音声が使用者Ｈに伝達される。第１の状態において使用者Ｈの発声にともなう振動が振動検出部３０により検出されたとき、スイッチ制御部４２は、送信部１２および受信部１４の状態を第１の状態から第３の状態に切り替える。
【００７１】
送信部１２および受信部１４の状態が第３の状態に設定された場合において、骨伝導通信機１０は、第２の実施形態の骨伝導通信機１０と実質的に同じように動作する。第３の状態において、使用者Ｈにより操作部２２が操作されたとき、または、所定の時間が経過したとき、スイッチ制御部４２は、送信部１２および受信部１４の状態を第３の状態から第１の状態に切り替える。
【００７２】
骨伝導通信機１０は、第１の状態において通信相手の通信機から電気信号を受信しているときに使用者Ｈが発声しても、その発声に応じた電気信号が送信器３４に出力されない。このため、送信部１２および受信部１４における共振の発生が抑制され、ハウリングが発生しにくい。また、第３の状態において送信部１２および受信部１４における共振の発生が抑制されるように共振抑制処理が実行されるため、使用者Ｈと通信相手とが同時に発声したとしても、ハウリングが発生しにくい。なお、第３の実施形態によれば、第２の実施形態により得られる（３）〜（７）の効果と実質的に同じ効果も得られる。
【００７３】
（第４の実施形態）
第４の実施形態の骨伝導通信機１０は、以下に説明する点において第１の実施形態の骨伝導通信機１０と相違し、その他の点において第１の実施形態の骨伝導通信機１０と実質的に同じ構成を備える。なお、第４の実施形態の骨伝導通信機１０の説明は、第１の実施形態の骨伝導通信機１０と共通する構成に同一の符号を付し、その構成の説明の一部または全部を省略する。
【００７４】
図５は、骨伝導通信機１０を構成する主要な要素のブロック図である。
制御部１６は、例えば自転車１００の走行状態に基づいて受信部１４を制御する。自転車１００の走行状態は、自転車１００の車速を含む。自転車１００の車速は、例えば自転車１００のフロントフォークに設けられる磁気センサ（図示略）、および、前輪に設けられる磁石（図示略）により検出される。
【００７５】
増幅器制御部４４は、自転車１００の走行状態に基づいて、第２の増幅器３８に出力する電流および電圧の少なくとも一方を調節し、振動子４０による振動の大きさを制御する。一例では、増幅器制御部４４は、自転車１００の車速が所定の車速よりも高いとき、第２の増幅器３８に出力する電流および電圧の少なくとも一方を高くする。これにより、使用者Ｈ（図１参照）に伝達される音の音圧および音量等が大きくなる。増幅器制御部４４は、自転車１００の車速が所定の車速よりも低いとき、第２の増幅器３８に出力する電流および電圧の少なくとも一方を低くする。これにより、使用者Ｈに伝達される音の音圧および音量等が小さくなる。
【００７６】
制御部１６は、外部装置１０２と通信可能である。外部装置１０２は、取付部１０４を含む。取付部１０４は、例えば自転車１００に取り付け可能である。すなわち、外部装置１０２は、自転車１００に取り付けられる。外部装置１０２は、例えば情報を表示する機能、および、骨伝導通信機１０に関する情報等を操作する機能を含む。なお、外部装置１０２は、取付部１０４を含まない形態を取り得る。
【００７７】
制御部１６は、外部装置１０２から受信した信号に基づいて、送信部１２および受信部１４の状態を設定する。一例では、スイッチ制御部４２は、外部装置１０２から受信した信号に基づいて、第１の状態と第２の状態とが切り替えられるように各スイッチ４６、４８を制御する。すなわち、送信部１２および受信部１４の状態が設定される。なお、外部装置１０２は、送信部１２の状態を設定する機能、および、受信部１４の状態を設定する機能の少なくとも一方を含まない形態を取り得る。
【００７８】
制御部１６は、外部装置１０２から受信した信号に基づいて、送信部１２および受信部１４の出力レベルを設定する。一例では、増幅器制御部４４は、外部装置１０２から受信した信号に基づいて、第１の増幅器３２および第２の増幅器３８に出力する電流および電圧の少なくとも一方を制御する。第１の増幅器３２に出力する電流および電圧の少なくとも一方が制御されることにより、通信相手に伝達される音の音圧および音量等が調節される。すなわち、送信部１２の出力レベルは、通信相手に伝達される音の音圧および音量等を含む。また、第２の増幅器３８に出力する電流および電圧の少なくとも一方が制御されることにより、使用者Ｈに伝達される音の音圧および音量等が調節される。すなわち、受信部１４の出力レベルは、使用者Ｈに伝達される音の音圧および音量等を含む。なお、外部装置１０２は、送信部１２の出力レベルを設定する機能、および、受信部１４の出力レベルを設定する機能の少なくとも一方を含まない形態を取り得る。
【００７９】
第４の実施形態によれば、以下の作用および効果が得られる。
（８）自転車１００を運転しながら骨伝導通信機１０を使用する場合、自転車１００の車速によっては、風切り音等によって使用者Ｈが通信相手の音声を聴き取りづらい可能性がある。一方、骨伝導通信機１０は、自転車１００の車速に基づいて第２の増幅器３８に出力する電流および電圧の少なくとも一方が調節される。すなわち、受信部１４の出力レベルが制御される。このため、使用者Ｈが通信相手の音声が聴き取りやすくなる。
【００８０】
（９）骨伝導通信機１０によれば、制御部１６は外部装置１０２と通信される。この外部装置１０２は、自転車１００に取り付けられる。このため、使用者Ｈが自転車１００を運転しながら骨伝導通信機１０を使用する場合、外部装置１０２の使い勝手がよい。なお、第４の実施形態によれば、第１の実施形態により得られる（１）〜（３）の効果と同じ効果も得られる。
【００８１】
（変形例）
上記各実施形態に関する説明は、本発明に従う骨伝導通信機が取り得る形態の例示であり、その形態を制限することを意図していない。本発明に従う骨伝導通信機は、上記各実施形態以外に例えば以下に示される各実施形態の変形例、および、相互に矛盾しない少なくとも２つの変形例が組み合わせられた形態を取り得る。
【００８２】
・第４の実施形態の外部装置１０２の装着対象は任意に変更可能である。一例では、外部装置１０２は、使用者Ｈの衣服または使用者Ｈの装身具に取り付けるための取付部を含む。使用者Ｈの装身具の一例は、ヘルメットである。
【００８３】
・第４の実施形態の制御部１６による送信部１２および受信部１４の制御形態は任意に変更可能である。第１の例では、制御部１６は、外部装置１０２から受信した信号に基づいて、送信部１２および受信部１４の状態を個別に設定する。第２の例では、制御部１６は、外部装置１０２から受信した信号に基づいて、送信部１２および受信部１４の一方だけの状態を設定する。
【００８４】
これらの変形例の制御部１６は、送信部１２および受信部１４の両方の出力機能が有効な第３の状態において、例えば送信部１２の制御、受信部１４の制御、送信部１２から出力される電気信号のフィルタ処理、および、受信部１４が受信した電気信号のフィルタ処理のうちの少なくとも１つの共振抑制処理を実行する。なお、共振抑制処理として、送信部１２から出力される電気信号のフィルタ処理、および、受信部１４が受信した電気信号のフィルタ処理のいずれかを制御部１６が実行する場合、骨伝導通信機１０は対応するフィルタ５０、５２を備える。
【００８５】
・第４の実施形態の制御部１６と外部装置１０２との関係は任意に変更可能である。一例では、制御部１６は、外部装置１０２と通信不能である。
・第４の実施形態の自転車１００の走行状態に基づく制御部１６の制御形態は任意に変更可能である。第１の例では、制御部１６は、自転車１００の走行状態に基づいて送信部１２を制御する。すなわち、増幅器制御部４４は、自転車１００の走行状態に基づいて、第１の増幅器３２に出力する電流および電圧の少なくとも一方を調節する。第２の例では、制御部１６は、自転車１００の走行状態に基づいて、送信部１２および受信部１４の両方を制御する。
【００８６】
第３の例では、制御部１６は、自転車１００の走行状態に代えてまたは加えて、自転車１００の走行環境および使用者Ｈの状態の少なくとも一方に基づいて、送信部１２および受信部１４の少なくとも一方を制御する。制御部１６は、個人差のある情報に基づいて、送信部１２および受信部１４の少なくとも一方を制御する場合、送信部１２および受信部１４を制御するレベルを過去のデータ等に基づいて補正できる。
【００８７】
自転車１００の走行環境は、路面の勾配、路面の高度、風力、天候、および、騒音レベルのうちの少なくとも１つを含む。路面の勾配は、例えば自転車１００に設けられる角度センサにより検出される。路面の高度は、例えば自転車１００に設けられる気圧センサにより検出される。風力は、例えば自転車１００に設けられる風力センサにより検出される。天候は、例えば操作部２２または外部装置１０２の操作によって予め入力される。騒音レベルは、例えば使用者Ｈの衣服、使用者Ｈの装身具、または、自転車１００に設けられる振動センサにより検出される。
【００８８】
使用者Ｈの状態は、心拍および消費カロリーの少なくとも一方を含む。心拍は、例えば使用者Ｈの身体または自転車１００のハンドルに設けられる脈波センサにより検出される。消費カロリーは、例えば自転車１００の走行距離および人力駆動力等から演算される。
【００８９】
・第４の実施形態の自転車１００の走行状態に含まれる内容は任意に変更可能である。一例では、自転車１００の走行状態は、自転車１００の車速に代えてまたは加えて、自転車１００の振動および人力駆動力の少なくとも一方を含む。自転車１００の振動は、例えば自転車１００に設けられる振動センサにより検出される。人力駆動力は、例えば自転車１００のペダルに設けられる圧力センサにより検出される。
【００９０】
・第３の実施形態の送信部１２および受信部１４の状態に含まれる第１の状態の内容は任意に変更可能である。一例では、第１の状態は、送信部１２の出力機能が有効であり、受信部１４の出力機能が無効な状態である。スイッチ制御部４２は、第１の状態において振動検出部３０により振動が検出されず、かつ、受信器３６に電気信号が入力されたことに基づいて、送信部１２および受信部１４の状態が第１の状態から第３の状態に切り替えられるように各スイッチ４６、４８を制御する。
【００９１】
・第２の実施形態の制御部１６が実行する送信部１２の制御形態は任意に変更可能である。一例では、増幅器制御部４４は、振動検出部３０により振動が検出されたことに基づいて、通信相手に伝達される音の音圧および音量等が制限されるように送信部１２の制御を実行する。すなわち、増幅器制御部４４は、第１の増幅器３２に出力する電流および電圧の少なくとも一方を制御する。
【００９２】
・第２の実施形態の制御部１６が実行する受信部１４の制御形態は任意に変更可能である。一例では、増幅器制御部４４は、受信器３６に電気信号が入力されたことに基づいて、使用者Ｈに伝達される音の音圧および音量等が制限されるように受信部１４の制御を実行する。すなわち、増幅器制御部４４は、第２の増幅器３８に出力する電流および電圧の少なくとも一方を制御する。
【００９３】
・第１の実施形態の骨伝導通信機１０を構成する要素は任意に変更可能である。一例では、骨伝導通信機１０は、図６に示されるとおり記憶部５４をさらに備える。記憶部５４の機能は、受信部１４により受信された電気信号を記憶することである。記憶部５４は、第２の増幅器３８により増幅された電気信号を記憶する。制御部１６は、記憶制御部５６をさらに含む。記憶制御部５６の機能は、第２の状態において受信部１４が受信した電気信号を記憶部５４に記憶させ、送信部１２および受信部１４の状態が第２の状態から第１の状態に切り替えられた後、記憶部５４に記憶された電気信号に基づいて受信部１４に振動を出力させることである。なお、図６に示される送信部１２および受信部１４の状態は第２の状態である。
【００９４】
一例では、記憶制御部５６は、例えば第２の状態において振動検出部３０により振動が検出され、かつ、受信器３６に電気信号が入力されているとき、受信器３６が受信した電気信号を第２の増幅器３８を介して記憶部５４に出力させる。そして、記憶制御部５６は、スイッチ制御部４２により送信部１２および受信部１４の状態が第２の状態から第１の状態に切り替えられた後、記憶部５４に記憶された電気信号を読み込み、その電気信号を第２のスイッチ４８を介して振動子４０に出力する。この変形例によれば、通信相手の音声を聴き逃しにくい。なお、記憶部５４に記憶された電気信号に基づいて受信部１４に振動を出力させるタイミングは、操作部２２の操作によって任意に選択可能である。
【００９５】
・第２の実施形態の骨伝導通信機１０を構成する要素は任意に変更可能である。一例では、骨伝導通信機１０は、図７に示されるとおり記憶部５８をさらに備える。記憶部５８の機能は、受信部１４により受信された電気信号を記憶することである。記憶部５８は、第２の増幅器３８により増幅された電気信号を記憶する。制御部１６は、記憶制御部６０をさらに含む。記憶制御部６０の機能は、第３の状態における共振抑制処理において、送信部１２が電気信号を出力している最中に受信部１４が受信した電気信号を記憶部５８に記憶させ、送信部１２による振動の出力の終了後において、記憶部５８に記憶された電気信号に基づいて受信部１４に振動を出力させることである。
【００９６】
一例では、記憶制御部６０は、振動検出部３０により振動が検出されているとき、受信器３６が受信した電気信号を第２の増幅器３８を介して記憶部５８に出力させる。そして、記憶制御部６０は、振動検出部３０により振動が検出されていないとき、記憶部５８に記憶された電気信号を読み込み、その電気信号を第２のスイッチ４８を介して振動子４０に出力する。なお、記憶部５８に記憶された電気信号に基づいて受信部１４に振動を出力させるタイミングは、操作部２２の操作によって任意に選択可能である。
【００９７】
この変形例によれば、使用者Ｈと通信相手とが同時に発声したとしても、使用者Ｈの発声による振動と通信相手の発声による振動とが共振しにくく、ハウリングが発生しにくい。また、使用者Ｈが発声していないときに通信相手の音声を聴くことができるため、通信相手の音声を聴き逃しにくい。なお、この変形例の制御部１６は、送信部１２の制御、受信部１４の制御、送信部１２から出力される電気信号のフィルタ処理、および、受信部１４が受信した電気信号のフィルタ処理のうちの少なくとも１つを省略した共振抑制処理を実行する形態を取り得る。
【００９８】
・操作部２２の装着対象は任意に変更可能である。一例では、操作部２２は、使用者Ｈの身体、使用者Ｈの装身具、または、自転車１００に取り付けるための取付部を含む。
・本体１８と操作部２２との関係は任意に変更可能である。一例では、操作部２２は、本体１８と一体的に構成される。
【００９９】
・変形例の骨伝導通信機１０は、操作部２２および取付部２８を省略した形態を取り得る。
・送信部１２と受信部１４との関係は任意に変更可能である。一例では、送信部１２および受信部１４は無線通信可能に個別に構成される。この変形例の骨伝導通信機１０は、連結部２４を省略した形態を取り得る。
【０１００】
・受信部１４の装着対象は任意に変更可能である。第１の例では、骨伝導通信機１０は、使用者Ｈの身体のうちの耳の穴とは別の部位に受信部１４を取り付けるための取付部を含む。第２の例では、骨伝導通信機１０は、使用者Ｈの衣服、使用者Ｈの装身具、または、自転車１００に受信部１４を取り付けるための取付部を含む。この第２の例によれば、受信部１４は、ヘルメット、アイウェア、衣服の首元、サドル、または、インソール等に取り付けられる。なお、骨伝導通信機１０は、受信部１４を取り付けるための取付部とは別に、送信部１２を取り付けるための取付部を備える形態を取り得る。
【０１０１】
・送信部１２の装着対象は任意に変更可能である。第１の例では、骨伝導通信機１０は、使用者Ｈの身体のうちの頬とは別の部位に送信部１２を取り付けるための取付部を含む。第２の例では、骨伝導通信機１０は、使用者Ｈの衣服、使用者Ｈの装身具、または、自転車１００に送信部１２を取り付けるための取付部を含む。この第２の例によれば、送信部１２は、ヘルメット、アイウェア、衣服の首元、サドル、または、インソール等に取り付けられる。なお、骨伝導通信機１０は、送信部１２を取り付けるための取付部とは別に、受信部１４を取り付けるための取付部を備える形態を取り得る。
【０１０２】
・第１の実施形態のスイッチ制御部４２の制御形態は任意に変更可能である。一例では、スイッチ制御部４２は、操作部２２の操作だけに基づいて、送信部１２および受信部１４の状態を設定する。なお、第３の実施形態および第４の実施形態においても同様の変形が成立する。
【符号の説明】
【０１０３】
１０…骨伝導通信機、１２…送信部、１４…受信部、１６…制御部、１８…本体、２２…操作部、２６，２８，１０４…取付部、３０…振動検出部、５４，５８…記憶部、１００…自転車、１０２…外部装置、Ｈ…使用者。
【図１】
2017092906.tif 000003
【図２】
2017092906.tif 000004
【図３】
2017092906.tif 000005
【図４】
2017092906.tif 000006
【図５】
2017092906.tif 000007
【図６】
2017092906.tif 000008
【図７】
2017092906.tif 000009